(57)【特許請求の範囲】
【請求項１】
ワイヤーの引き操作でスロットルバルブを開閉調整するワイヤースロットル調整装置であって、
前記ワイヤーの端部が接続され、前記ワイヤーを引き操作する操作部材を備え、
前記操作部材は、ハンドル枠に軸支される軸支部と、該軸支部を支持する軸を中心に揺動操作される操作部と、前記操作部と一体に揺動して前記スロットルバルブの全開状態で前記ワイヤーを引く操作によって弾性変形する作用部とを備えることを特徴とするワイヤースロットル調整装置。
【請求項２】
前記作用部は、前記軸支部から延設されて弾性変形自在な弾性アーム部を備え、該弾性アーム部の先端部に前記ワイヤーの端部が接続されることを特徴とする請求項１記載のワイヤースロットル調整装置。
【請求項３】
前記弾性アーム部の先端部には、当該先端部に前記ワイヤーの端部を導くワイヤーガイドが前記軸支部周りに沿って延設されていることを特徴とする請求項２記載のワイヤースロットル調整装置。
【請求項４】
前記操作部材は、前記作用部と前記軸支部と前記操作部が一体成形されていることを特徴とする請求項２又は３に記載されたワイヤースロットル調整装置。
【請求項５】
請求項１〜４のいずれか１項に記載されたワイヤースロットル調整装置を備えたエンジン駆動の手持ち又は背負い機械。
【発明の詳細な説明】
【技術分野】
【０００１】
本発明は、気化器のスロットルバルブの開閉調整をワイヤーの引き操作で行うワイヤースロットル調整装置に関する。
【背景技術】
【０００２】
ワイヤー式スロットル調整機構は、バネの弾性力で閉方向に付勢されたスロットルバルブをバネの弾性力に逆らってワイヤーで引くことで、スロットルバルブをアイドリング状態から全開状態まで開閉調整するものであり、このようなスロットル調整機構は、小型エンジン駆動の手持ち或いは背負い機械（チェンソー、ヘッジトリマー、刈り払い機、送風・吸引機、噴霧・散布機など）における出力調整機構として広く採用されている。
【０００３】
このワイヤー式スロットル調整機構は、ワイヤーを引く操作部材（スロットルレバー、スロットルトリガーなど）をハンドルやグリップなどの近くに備えている。この操作部材は、把持部の筐体に揺動自在に軸支される軸支部と、ワイヤーの端部が接続されるワイヤー接続部と、操作部材を指などで軸周りに揺動操作する操作部（掴持部）を備えている（下記特許文献１参照）。
【０００４】
また、スロットルレバーを操作することでワイヤー或いはケーブルを介してスロットルバルブの開閉を調整する際には、スロットルレバーの操作範囲でスロットルバルブの適正なアイドリング位置と全開位置（フルスロットル位置）を設定することが必要になる。このため、従来は、ワイヤーの中継箇所に位置調整装置を設けて、スロットルレバーの操作範囲とスロットルバルブの開閉位置が適正に一致するように調整することが行われている（下記特許文献２参照）。
【先行技術文献】
【特許文献】
【０００５】
【特許文献１】特開２０１３−１２４５８９号公報
【特許文献２】特開２００１−２８９０６５号公報
【発明の概要】
【発明が解決しようとする課題】
【０００６】
ワイヤー式のスロットル調整機構は、繰り返しの使用によって、ワイヤーの伸びやスロットルバルブと操作部材との間の位置変位などが生じて、操作部材の操作限界まで操作してもスロットルバルブの全開が得られなくなるなど、操作部材の操作状態とスロットルバルブの開閉状態との関係にずれが生じることが確認されている。このため、従来のワイヤー式スロットル調整機構では、繰り返しの使用に際しては、ワイヤーの中継箇所に設けた位置調整装置を用いたメンテナンス作業が不可欠になっている。
【０００７】
また、ワイヤー式スロットル調整機構の量産時の組み付けでは、ワイヤーの長さに個体差があると、スロットルバルブの全開が得られる操作部材の操作位置を定めるために、ワイヤーの端部と操作部材の接続位置を精緻に調整しながら組み付けることが必要になる。このため、初期の操作状態を適正化するのに時間がかかり、組み付けに長時間を要する問題が生じる。
【０００８】
本発明は、このような問題に対処することを課題の一例とするものである。すなわち、ワイヤーの伸びやスロットルバルブと操作部材との間の位置変位などに対して、メンテナンス作業を不要にすること、複雑な位置調整装置を採用すること無く、常にスロットルバルブが全開となる操作状態を得ることができること、ワイヤーの長さに個体差があってもスロットルバルブを全開にする操作状態を速やかに初期設定することができ、組み付け時間の短縮を可能にすること、等が本発明の目的である。
【課題を解決するための手段】
【０００９】
このような目的を達成するために、本発明は以下の構成を具備するものである。
ワイヤーの引き操作でスロットルバルブを開閉調整するワイヤースロットル調整装置であって、
前記ワイヤーの端部が接続され、前記ワイヤーを引き操作する操作部材を備え、
前記操作部材は、ハンドル枠に軸支される軸支部と、該軸支部を支持する軸を中心に揺動操作される操作部と、前記操作部と一体に揺動して前記スロットルバルブの全開状態で前記ワイヤーを引く操作によって弾性変形する作用部とを備えることを特徴とするワイヤースロットル調整装置。
【発明の効果】
【００１０】
このような特徴を有する本発明は、スロットルバルブの全開状態でワイヤーを引く操作によって弾性変形する作用部を備えるので、ワイヤーの伸びやスロットルバルブと操作部材との間の位置変位などが生じても、弾性変形の範囲内であればワイヤーの伸びや位置変位が作用部の弾性変形で吸収されるので、メンテナンス作業が不要になり、複雑な位置調整装置を採用すること無く、スロットルバルブが全開となる操作状態を常に得ることができる。また、ワイヤーの長さに個体差があってもスロットルバルブを全開にする操作状態を速やかに初期設定することができ、組み付け時間の短縮が可能になる。
【図面の簡単な説明】
【００１１】
【図１】本発明の実施形態に係るワイヤースロットル調整装置の全体構成を示した説明図である。
【図２】本発明の実施形態に係るワイヤースロットル調整装置における調整部材を示した説明図である。
【図３】本発明の実施形態に係るワイヤースロットル調整装置を備えたエンジン駆動の手持ち機械の一例（チェンソー）を示した説明図である。
【発明を実施するための形態】
【００１２】
以下、図面を参照して本発明の実施形態を説明する。図１は、本発明の一実施形態に係るワイヤースロットル調整装置の全体構成を示している。ワイヤースロットル調整装置１は、ワイヤー２の引き操作で気化器３のスロットルバルブ（図示省略）を開閉調整するものであり、ワイヤー２と操作部材（スロットルレバー）１０を備えている。ワイヤースロットル調整装置１の基本構成は、スロットルバルブが図示省略したバネで閉方向に付勢されており、このバネの弾性力に抵抗してワイヤー２を引くことでスロットルバルブを開操作するものである。
【００１３】
操作部材１０は、ワイヤースロットル調整装置１が装備されるエンジン駆動の手持ち或いは背負い機械などのハンドルを構成する枠（ハンドル枠）２０に軸支される軸支部１４を備えており、図示の矢印で示すように、軸支部１４を支持する軸１４Ａを中心に揺動自在に支持されている。この操作部材１０は、操作部１５を備えており、ハンドルを持つ手指で操作部１５を操作することで、軸支部１４を支持する軸１４Ａを中心に全体が揺動操作される。
【００１４】
また、操作部材１０は係止部１６を備えており、係止部１６がハンドル枠２０に設けられるロックレバー２１に係止している状態では、操作部材１０の揺動がロックされた状態になっている。ロックレバー２１は、ハンドルを操作者が握ることでロックが解除され、係止部１６との係合が外れるようになっており、ハンドルを操作者が握った状態でなければ操作部材１０を操作してスロットルバルブを開操作することができないようになっている。
【００１５】
このような操作部材１０は、作用部１１を備え、作用部１１にはワイヤー２の端部２Ａが接続されている。ワイヤー２は、ワイヤーカバー２Ｂ内を通って配備され、気化器３の配備位置からハンドル位置まで延設されており、その端部２Ａが作用部１１の先端部１１Ａに接続されている。
【００１６】
作用部１１は、操作部１５と一体に揺動し、軸支部１４から延設されて弾性変形自在な弾性アーム部１２を備え、弾性アーム部１２の先端部にワイヤー２の端部２Ａが接続される。また、弾性アーム部１２の先端部には、この先端部にワイヤー２の端部２Ａを導くワイヤーガイド１３が軸支部１４周りに沿って延設されている。
【００１７】
図２によって操作部材１０の機能を更に詳細に説明する。軸１４Ａに軸支されている操作部材１０を手指で矢印ａ方向に操作すると、操作部１５と作用部１１を備える操作部材１０全体が軸１４Ａ周りに揺動操作される。その際、作用部１１は、操作部１５と一体に揺動してワイヤー２を引き、スロットルバルブを全開状態にする。そして、スロットルバルブの全開状態で更に操作部材１０が揺動操作されると、作用部１１（弾性アーム部１２）がワイヤー２の張力で矢印ｂ方向に弾性変形する。
【００１８】
このような操作部材１０によると、ワイヤー２に過剰な張力が加わる前に作用部１１（弾性アーム部１２）が弾性変形してワイヤー２の張力を緩和するので、手指によって操作部１５を操作する力の大小に拘わらず、一定の力でワイヤー２を引くことができ、ワイヤー２に過剰な張力が加わるのを抑制することができる。また、エンジンの振動がスロットルバルブを介してワイヤー２に伝わる場合にも、作用部１１（弾性アーム部１２）の弾性変形によってその振動が吸収されるので、作用部１１がダンパとして機能し、操作部材１０を操作する手指にエンジンの振動が伝わるのを抑制することができる。
【００１９】
このような操作部材１０を備えたワイヤースロットル調整装置１によると、繰り返しの使用でワイヤー２に伸びが生じたり、スロットルバルブと操作部材１０との間の位置変位などが生じたりした場合にも、作用部１１（弾性アーム部１２）の弾性変形の範囲内であれば、ワイヤー２の伸びなどを作用部１１（弾性アーム部１２）の弾性変形で吸収することができ、ワイヤー２の端部接続位置の調整やワイヤー２の長さ調整などのメンテナンス作業を行わなくても、スロットルバルブを全開にする操作状態を常に得ることができる。なお、この際には、スロットルバルブの全開状態が操作部材１０の操作限界より手前で得られるように、初期の操作状態を設定することが必要になる。これにより、ワイヤー２に伸びが生じた場合には、当初の全開状態が得られる操作位置に対して、更に操作部材１０を操作限界近くまで深く操作することで全開状態が得られるようになる。
【００２０】
操作部材１０の弾性変形は、経時的なワイヤー２の伸びに対してだけでなく、組立時のワイヤー２の個体差に対しても有効に機能する。すなわち、組立時のワイヤー２の長さに多少の個体差があったとしても、その個体差を作用部１１（弾性アーム部１２）の弾性変形によって吸収することができ、全開状態を適正な操作状態で得るための精緻な初期調整を省くことができる。これによって、組み付け時間の短縮が可能になり、ワイヤースロットル調整装置１を組み付ける機械の生産性を高めることができる。
【００２１】
弾性アーム部１２の先端部から延設されるワイヤーガイド１３は、ワイヤー２を案内する溝部が軸支部１４周りに湾曲形成されている。これによって、操作部材１０を軸１４Ａ周りに揺動操作する際に、ワイヤーガイド１３からワイヤー２が離れる点を略一定に保っている。このようなワイヤーガイド１３を弾性アーム部１２の先端部から延設させることで、作用部１１（弾性アーム部１２）の弾性変形が生じても常に安定した状態でワイヤー２に張力を作用することができる。
【００２２】
操作部材１０は、作用部１１と軸支部１４と操作部１５と係止部１６を備える一体成形の樹脂部材で構成することができる。この際、作用部１１の弾性変形の度合いは、樹脂材の材質，形状などによって適宜設定することができる。
【００２３】
図３は、ワイヤースロットル調整装置１を備えたエンジ駆動の手持ち機械の一例であるチェンソーを示している。チェンソー３０はハンドル３１を備えており、このハンドル３１のハンドル枠にワイヤースロットル調整装置１の操作部材（スロットルレバー）１０や前述したロックレバー２１が装着される。図示のチェンソー３０は、エンジン（気化器）を備える本体３２、フロントバー３３、ブレーキレバー３４、ガイドバー３５、ソーチェン３６などを備えている。本発明の実施形態に係るワイヤースロットル調整装置１は、図示のようなチェンソー３０に限らず、ヘッジトリマー、刈り払い機、送風・吸引機、噴霧・散布機など、エンジン駆動の各種手持ち機械或いは背負い機械に採用することができ、前述した機能を得ることができる。
【符号の説明】
【００２４】
１：ワイヤースロットル調整装置，
２：ワイヤー，２Ａ：端部，２Ｂ：ワイヤーカバー，
３：気化器，
１０：操作部材（スロットルレバー）
１１：作用部，１１Ａ：先端部
１２：弾性アーム部，１３：ワイヤーガイド，
１４：軸支部，１４Ａ：軸，１５：操作部，１６：係止部，
２０：ハンドル枠，２１：ロックレバー，
３０：チェンソー（手持ち機械），３１：ハンドル，３２：本体，
３３：フロントバー，３４：ブレーキレバー，３５：ガイドバー，
３６：ソーチェン
【図１】
0006415934.tif 000002
【図２】
0006415934.tif 000003
【図３】
0006415934.tif 000004